(57)【要約】【課題】製造コストが安価であり，取付けが容易な園芸用ラベルを提供する。【解決手段】園芸用ラベルは，ラベルの目的とする情報が記入されるラベル本体部１０と，その一端から帯状に延び，取付け対象３０に巻き付けられる巻付け部２０を有する。ラベル本体部１０の巻付け部２０側には，巻付け部２０の端部２０ａを差し込むための差込み用切込み部１１を設け，巻付け部２０には，ラベル本体部１０側に対して凸状の，１または複数の折り曲げ係止用切込み部２１を設ける。取付け時に，巻付け部２０を差込み用切込み部１１に差し込んだ後，折り曲げ係止用切込み部２１によって形成される係止用凸部２０ｂを折り曲げることにより，巻付け部２０が抜けにくくなる。【選択図】図１
2010017108.tif 000002
【特許請求の範囲】
【請求項１】
植物に取り付けられて使用される園芸用ラベルにおいて，
ラベルの目的とする情報が記入されるラベル本体部と，
前記ラベル本体部の一端から帯状に延び，取付け対象である植物の茎，幹または枝に巻き付けられる巻付け部とからなり，
前記ラベル本体部における前記巻付け部を有する側に，前記巻付け部の端部を差し込むための前記巻付け部の幅より広い差込み用切込み部と，
前記巻付け部に，前記ラベル本体部側に対して凸状の，１または複数の折り曲げ係止用切込み部とを有する
ことを特徴とする園芸用ラベル。
【請求項２】
請求項１記載の園芸用ラベルにおいて，
前記折り曲げ係止用切込み部の両端を結ぶ線上の一部に，前記折り曲げ係止用切込み部によって形成される凸状部分を折り曲げやすくする折り曲げ用切込み部を有する
ことを特徴とする園芸用ラベル。
【発明の詳細な説明】
【技術分野】
【０００１】
本発明は，植物の名称等を記入して植木に付与するための園芸用ラベルに関するものである。
【背景技術】
【０００２】
園芸用植物を展示したり，取引きしたりするにあたっては，植物の名称，種類，価格などを表示するためのラベルが必要になる。このような園芸用ラベルを植物に取り付ける方法としては，従来，以下に示すようなものがある。
【０００３】
図３は，従来の園芸用ラベルの例を示す図である。植物の茎，幹，枝などに取り付けるタイプの園芸用ラベル１００は，図３（Ａ）に示すように，ラベル本体部１１０と取付け用針金１０２からなる。ラベル本体部１１０には，植物の名称やデザインされたイラスト，販売店名やその店のマーク等の文字や図柄，植物特許がある場合はその旨を示す注意書きや特許番号等の付加的説明事項など，様々な情報が表示される。園芸用ラベル１００は，図３（Ｂ）に示すように，取付け用針金１０２を植物の茎，幹，枝等に巻き付けるようにして取り付けられる。なお，ラベル本体部１１０の材料としては，塩化ビニル等の合成樹脂や，ポリエチレン系，ポリプロピレン系等の合成紙などが使用されている。
【０００４】
また，取付け用針金１０２を使用せずに植物の茎，枝などに巻き付けることが可能な園芸用ラベルもある（特許文献１参照）。特許文献１には，植物の枝や茎に巻き付けて使用する紙製の園芸用表示片について記載されている。特許文献１では，表示片を折り返して植物の枝や茎に巻き付けた状態にして，剥離紙を部分的に剥離して露出した粘着層を貼り付けることにより，園芸用表示片を植物に取り付けている。
【０００５】
また，図４に示すように，ラベル本体部１１０と巻付け部１２０とが一体に形成された園芸用ラベルもある（特許文献２参照）。この園芸用ラベルは，ラベルの目的とする植物の情報が記入されるラベル本体部１１０と，そのラベル本体部１１０の一端から帯状に延び，取付け対象である植物の茎，幹または枝に巻き付けられる巻付け部１２０とからなり，巻付け部１２０の根元またはラベル本体部１１０側には，巻付け部１２０の先端を差し込むための差込み口１２１が設けられている。また，巻付け部１２０の両サイドは鋸歯状に形成されている。
【０００６】
この園芸用ラベルを取付け対象３０の植物に取り付けるときには，図４（Ｂ）に示すように，巻付け部１２０を枝等の取付け対象３０に巻き付けた後，巻付け部１２０の先端部分を差込み口１２１に差し込む。このとき，巻付け部１２０に形成された鋸歯状の部分が差込み口１２１の部分でストッパーの役割を果たし，差し込まれた後は外れにくくなっている。
【特許文献１】特開２０００−４１４９５号公報
【特許文献２】特開２００７−１５５８７３公報
【発明の開示】
【発明が解決しようとする課題】
【０００７】
図３に示すような従来の園芸用ラベル１００は，取付け用針金１０２に鉄などの安価な金属が用いられているため，腐食しやすく壊れやすかった。さらに，取付け用針金１０２は細く加工されているため，植物の茎を傷つけてしまったり，植物の世話などの作業中に取付け用針金１０２の先端で怪我をしてしまったりすることもあった。
【０００８】
また，従来の園芸用ラベル１００は，合成樹脂のラベル本体部１１０と金属の取付け用針金１０２といったように異なる材質の部品を別々に製造し，さらにラベル本体部１１０に取付け用針金１０２を１つ１つよって組み合わせる工程が必要となるので，コストが高くつき，作業に時間がかかるという問題があった。
【０００９】
上述の特許文献１の園芸用表示片は，台紙，粘着層，剥離紙といった複数の素材を用いた構造であるため，一つの材料を用いたものよりコスト高になるという問題がある。また，取付け時に剥離紙を部分的に剥離する必要があるので，取付け作業に手間がかり，剥離された剥離紙がごみとなるという問題がある。
【００１０】
以上の問題点を解決するためのもとして，特許文献２に記載されている園芸用ラベルがあり，これによれば従前のものに比べて安価に製造でき，植物への取付けも容易であるという利点があるが，巻付け部１２０が鋸歯状に形成されているため，差込み口１２１に差し込むときに，ギザギザの部分が差込み口１２１にひっかかって差し込みにくいことがあるという点，また，打抜きの型代が高価になり，合成紙のシートから抜き取るときの手作業がシンプルな形状の場合に比べて煩雑であるという点で，なお改良の余地がある。
【００１１】
本発明は，上記問題点の解決を図り，製造コストが小さく，取付けのときに差し込みが容易で取り付けやすく，かつ取り付けた後は外れにくい実用的な園芸用ラベルを提供することを目的としている。
【課題を解決するための手段】
【００１２】
本発明は，上記課題を解決するため，植物の茎，幹，枝などに取り付けるタイプの園芸用ラベルであって，ラベルの目的とする情報が記入されるラベル本体部と，ラベル本体部の一端から帯状に延び，取付け対象である植物の茎，幹または枝に巻き付けられる巻付け部とからなり，ラベル本体部における巻付け部を有する側に，巻付け部の端部を差し込むための巻付け部の幅より広い差込み用切込み部と，巻付け部に，ラベル本体部側に対して凸状の，１または複数の折り曲げ係止用切込み部とを有することを特徴とする。
【００１３】
植物に取り付けるときには，帯状の巻付け部を植物の茎等に巻き付け，巻付け部の先端部分から折り曲げ係止用切込み部があるところまで，ラベル本体部の下方に設けられた差込み用切込み部に差し込み，その後，凸状に形成された折り曲げ係止用切込み部を折り曲げる。この折り曲げによって，差込み用切込み部に差し込まれた巻付け部は，差込み用切込み部に係止され，外れないようになる。
【００１４】
上記折り曲げ係止用切込み部の両端を結ぶ線上の一部に，折り曲げ係止用切込み部によって形成される凸状部分を折り曲げやすくする折り曲げ用切込み部を設ければ，取付け時に凸状部分の折り曲げも容易に行うことができるので好適である。
【００１５】
ラベル本体部と巻付け部とは，合成樹脂または合成紙等で一体に形成することができ，また，シートからの抜き取りも容易であるため，製造コストや作業コストを下げることができる。
【発明の効果】
【００１６】
本発明は，合成樹脂や合成紙等のシートから打抜き加工によって容易に，かつ安価に園芸用ラベルを製造することができ，またシートからの抜き取りの作業も容易であるという効果がある。植物への取り付けのときは，帯状の巻付け部を容易に差込み用切込み部に差し込むことができ，また，差し込んだ後に折り曲げ用切込み部を折り曲げることにより，容易に外れにくくすることができる。
【００１７】
また，針金などを使用していないので，取付け時や取付け後に植物を傷めることはなく，帯状の巻付け部を巻き付けて取り付けるタイプの園芸用ラベルであるため，取付け対象が太い場合にも細い場合にも柔軟に取り付けることができる。
【発明を実施するための最良の形態】
【００１８】
以下，図面に従って本発明の実施の形態を説明する。
【００１９】
図１は，本発明の園芸用ラベルの例を示す図である。本実施例の園芸用ラベルは，ラベル本体部１０と，巻付け部２０とが一体化して形成されている。図１（Ａ）は園芸用ラベルの斜視図を示し，図１（Ｂ）は園芸用ラベルの取り付け状態図を示している。
【００２０】
ラベル本体部１０は，植物の名称やデザインされたイラスト，販売店名やその店のマーク等の文字や図柄，植物特許がある場合はその旨を示す注意書きや特許番号等の付加的説明事項など，ラベルの目的とする様々な情報を文字や図柄などで表示する部分である。
【００２１】
巻付け部２０は，植物の茎，幹，枝などの取付け対象３０に園芸用ラベルを取り付けるために，図１（Ｂ）に示すように取付け対象３０に巻き付ける部分である。巻付け部２０は，ラベル本体部１０の一端から帯状に延びるように形成され，これには，複数の折り曲げ係止用切込み部２１が設けられている。この折り曲げ係止用切込み部２１は，ラベル本体部１０側に対して凸状の切込みであり，この例では半円状になっているが，凸状であれば，Ｖ字形でもＵ字形でも，またコの字形でもいずれでもよい。
【００２２】
この折り曲げ係止用切込み部２１は複数ではなく，一つだけでもよいが，取付け対象３０の太さに合わせて無駄な遊びが生じないように巻き付けることができるようにするためには，複数あったほうが好ましい。
【００２３】
ラベル本体部１０における巻付け部２０を有する側には，巻付け部２０の端部２０ａを差し込むための差込み用切切込み部１１が設けられている。もちろん，この差込み用切込み部１１の幅は，巻付け部２０の横幅より広く形成されている。
【００２４】
巻付け部２０における折り曲げ係止用切込み部２１の両端を結ぶ線上の一部には，折り曲げ係止用切込み部２１によって形成される凸状部分の係止用凸部２０ｂを折り曲げやすくするための折り曲げ用切込み部２２が設けられるている。なお，この折り曲げ用切込み部２２は，ミシン目のような切込みであってもよい。
【００２５】
園芸用ラベルを取り付ける場合には，巻付け部２０を取付け対象３０に巻き付け，端部２０ａから差込み用切込み部１１に差し込み，複数の折り曲げ係止用切込み部２１のどれかが過ぎたところで，折り曲げ係止用切込み部２１を立てるように，折り曲げ用切込み部２２の部分で折り曲げる。
【００２６】
図２は，折り曲げ係止用切込み部２１の折り曲げ方法を示している。巻付け部２０を差込み用切込み部１１に差し込んだ後，図２（Ａ）に示すように，折り曲げ係止用切込み部２１によって形成される係止用凸部２０ｂの部分を，直角に引き起こすように折り曲げる。図２（Ｂ）は，折り曲げた状態を示している。ラベル本体部１０の差込み用切込み部１１は，直線状に形成されるているため，係止用凸部２０ｂの部分が引き立てられることにより，差込み時と逆方向の力で巻付け部２０が引っ張られても，差込み用切込み部１１の孔を係止用凸部２０ｂが通過できず，係止されることになる。
【００２７】
したがって，本実施例による園芸用ラベルは，取付けが容易で，外れにくいものとなる。
【００２８】
以上，本発明の実施の形態について説明したが，本発明はこれに限るものではない。例えば，本実施の形態では，園芸用ラベルを植物の幹や枝などの取付け対象３０に取り付ける例を示したが，植物の鉢の取っ手など，直接植物でない他の取付け対象３０に取り付けるようにしてもよい。
【図面の簡単な説明】
【００２９】
【図１】本発明の園芸用ラベルの例を示す図である。
【図２】折り曲げ係止用切込み部の折り曲げ方法を示す図である。
【図３】従来の園芸用ラベルの例を示す図である。
【図４】従来の園芸用ラベルの例を示す図である。
【符号の説明】
【００３０】
１０  ラベル本体部
１１  差込み用切込み部
２０  巻付け部
２０ａ  端部
２０ｂ  係止用凸部
２１  折り曲げ係止用切込み部
２２  折り曲げ用切込み部
３０  取付け対象
【図１】
2010017108.tif 000003
【図２】
2010017108.tif 000004
【図３】
2010017108.tif 000005
【図４】
2010017108.tif 000006